(57)【要約】【課題】比較的少なる工数をもって、導電芯線が絶縁材によリ被覆されて成るケーブルにおける導電芯線とコネクタ装置等に設けられたコンタクト部材との、適正かつ確実な電気的接続状態を得る。【解決手段】ケーブル２３の絶縁材を部分的に剥いで導電芯線２１を露出させ、露出された導電芯線２１を、先端部分が一対の分岐部２５Ａ，２５Ｂを形成し、それらの夫々が外側部分に特定の方向に対して傾斜する傾斜部２７Ａ，２７Ｂを有するものとされたコンタクト部材２５に、分岐部２５Ａ，２５Ｂによって挟まれる状態として配し、分岐部２５Ａ，２５Ｂの夫々における傾斜部２７Ａ，２７Ｂに特定の方向の押圧力を作用させることにより、分岐部２５Ａ，２５Ｂに、夫々の外側部分から内側部分に向かう方向に変位する変形を生じさせて、導電芯線２１を挟持させる。【選択図】図６
2007048544.tif 000002
【特許請求の範囲】
【請求項１】
導電芯線が絶縁材により被覆されて成るケーブルの上記絶縁材を部分的に剥いで上記導電芯線を露出させ、
先端部分が一対の分岐部を形成し、該一対の分岐部の夫々が、相互対向する内側部分とは反対側の外側部分に特定の方向に対して傾斜する傾斜部を有するものとされたコンタクト部材に、上記ケーブルの露出された導電芯線を、上記一対の分岐部によって挟まれる状態として配し、
上記コンタクト部材の一対の分岐部の夫々における上記傾斜部に、上記特定の方向の押圧力を作用させることにより、上記ケーブルの露出された導電芯線を挟んだ上記一対の分岐部の夫々に、上記外側部分から上記内側部分に向かう方向に変位する変形を生じさせ、
上記ケーブルの露出された導電芯線を上記コンタクト部材の一対の分岐部により挟持された状態として上記コンタクト部材に接続することを特徴とするケーブル接続方法。
【請求項２】
上記コンタクト部材の一対の分岐部の夫々における上記傾斜部に作用させる上記特定の方向の押圧力を、上記傾斜部に係合して上記特定の方向に移動する押圧手段を用いて生じさせることを特徴とする請求項１記載のケーブル接続方法。
【請求項３】
上記押圧手段として、該押圧手段の上記傾斜部に係合する部分が、上記特定の方向に対する傾斜面を形成する傾斜面部とされたものを用いることを特徴とする請求項２記載のケーブル接続方法。
【請求項４】
上記コンタクト部材として、該コンタクト部材の一対の分岐部の夫々における上記内側部分に鋸歯状部が形成されたものを用いることを特徴とする請求項１から請求項３までのいずれかに記載のケーブル接続方法。
【発明の詳細な説明】
【技術分野】
【０００１】
本願の特許請求の範囲に記載された発明は、導電芯線が絶縁材によリ被覆されて成るケーブルを、その導電芯線がコネクタ装置等に設けられたコンタクト部材に電気的に接続された状態とするケーブル接続方法に関する。
【背景技術】
【０００２】
複数の電気部品，電気装置あるいは電子機器等を、導電芯線が絶縁材によリ被覆されて成るケーブルを介して相互連結するにあたっては、相互着脱が容易とされる一対のコネクタ装置が用いられることが多い。このような一対のコネクタ装置は、例えば、一方が差込型を成すものとされるとともに他方が受型を成すものとされ、差込型を成すものが受型を成すものに部分的に挿入されることにより、両者に夫々設けられたコンタクト部材が相互接続されて、両者が電気的接続状態におかれるものとされる。
【０００３】
斯かる一対のコネクタ装置は、一方が電気部品，電気装置あるいは電子機器等に設けられ、他方が他の電気部品，電気装置（第３のコネクタ装置を含む）あるいは電子機器等から伸びるケーブルに接続されて使用されるもの、もしくは、両者の各々が電気部品，電気装置あるいは電子機器等から伸びるケーブルに接続されて使用されるもの等とされる。こうした場合、いずれにしても、導電芯線が絶縁材によリ被覆されて成るケーブルを、その導電芯線がコネクタ装置に設けられたコンタクト部材に電気的に接続された状態とすることが必要とされる。その際に用いられるケーブルは、単線もしくは複数の細線が縒り合わされた縒り線で成る１本の導電芯線が絶縁材により被覆されて成る被覆導線，１本の導電芯線が絶縁材により被覆されて成る被覆導線が複数本まとめられたもの，複数本の導電芯線が互いに分離された状態で絶縁材により一体的に被覆された多芯被覆導線等々とされる。
【０００４】
コネクタ装置に設けられたコンタクト部材にケーブルの導電芯線を電気的に接続するケーブル接続方法として従来提案されているものは、ケーブルが１本の導電芯線が絶縁材により被覆されて成る被覆導線が複数本まとめられたものである場合、例えば、図９及び図１０に示されるようにして実施される。
【０００５】
図９及び図１０に示される例においては、コネクタ装置１１，ケーブル１２及び抑え部材１３が用いられる。コネクタ装置１１は、絶縁材料をもって形成されたハウジング１４を有しており、そのハウジング１４からその外方に突出するようにして多数のコンタクト部材１５が設けられている。多数のコンタクト部材１５の夫々は、導電材料をもって形成されて、図９における上方に向かって突出する一対の平行突出片部を有したものとされ、一対の平行突出片部の各々には尖端部分が設けられている。ハウジング１４内には、他のコネクタ装置との連結部が形成されており、多数のコンタクト部材１５の夫々は当該連結部から伸びている。
【０００６】
ケーブル１２は、多数の被覆導線１６が平板状体を成すように配されてまとめられたものとされており、多数の被覆導線１６の夫々は、１本の導電芯線１７が絶縁材により被覆されて形成されている。そして、多数の被覆導線１６が夫々有する多数の導電芯線１７は、コネクタ装置１１における多数のコンタクト部材１５の間隔に対応する間隔をもって配されたものとされる。
【０００７】
抑え部材１３は、絶縁材料をもって形成されて、コネクタ装置１１におけるハウジング１４との係合部１８が設けられている。また、抑え部材１３には、ケーブル１２における多数の被覆導線１６の配置間隔に対応する間隔をもって配された多数の溝部１９が形成されている。
【０００８】
このようなもとで、コネクタ装置１１における多数のコンタクト部材１５にケーブル１２における多数の導電芯線１７を夫々接続するに際しては、コネクタ装置１１における多数のコンタクト部材１５の上方（図９において上方）に、ケーブル１２を、それにおける多数の被覆導線１６が多数のコンタクト部材１５に夫々対応する位置をとるものとなるようにして配し、そのケーブル１２の上方（図９において上方）から、抑え部材１３によってケーブル１２を多数のコンタクト部材１５側へと押圧する。その際、抑え部材１３に形成された多数の溝部１９をケーブル１２における多数の被覆導線１６に夫々対応する位置をとるものとなし、抑え部材１３に設けられた係合部１８を、抑え部材１３をケーブル１２を多数のコンタクト部材１５側へと押圧する位置に保持すべくコネクタ装置１１におけるハウジング１４に係合させて、図１０に示される状態となす。
【０００９】
このようにして、コネクタ装置１１における多数のコンタクト部材１５上に配したケーブル１２を、抑え部材１３により多数のコンタクト部材１５側へと押圧して、図１０に示される状態がとられるようになすことにより、多数のコンタクト部材１５にケーブル１２における多数の導電芯線１７が夫々接続されることを期待することができる。即ち、ケーブル１２が抑え部材１３により多数のコンタクト部材１５側へと押圧されるとき、多数のコンタクト部材１５の夫々を形成する一対の平行突出片部の各々の尖端部分が、ケーブル１２における多数の導電芯線１７のうちの対応するものを被覆する絶縁材を突き破って、対応する導電芯線１７に接触する状態におかれることを期待することができるのである。
【００１０】
従って、図１０に示される状態をとるものとされたコネクタ装置１１，ケーブル１２及び抑え部材１３が期待どおりのものとされるときには、コネクタ装置１１における多数のコンタクト部材１５にケーブル１２における多数の導電芯線１７が夫々適正に接続されることになる。
【００１１】
また、１本の導電芯線が絶縁材により被覆されて成る被覆導線とされる１本のケーブルを、スリット部により分けられた一対の分岐部が形成されたコンタクト部材におけるスリット部に、その開口端部分から押し込むことにより、ケーブルの導電芯線をコンタクト部材に電気的に接続するにあたり、一旦スリット部に押し込まれたケーブルが、スリット部の開口端部分から抜け出てしまう事態を回避できるようにする提案がなされている（例えば、特許文献１参照。）。
【００１２】
斯かる提案にあっては、スリット部により分けられた一対の分岐部が形成されたコンタクト部材が、その一対の分岐部の夫々における相互対向する内側部分に、スリット部内に突出する突起が備えられたものとされる。このような突起がコンタクト部材に設けられることにより、スリット部に押し込まれたケーブルは、一対の分岐部の夫々における相互対向する内側部分が導電芯線を被覆する絶縁材に食い込んで導電芯線に接触することになり、かつ、突起により押さえ込まれて、スリット部の開口端部分から抜け出ることが防止される状態におかれることが期待されるものとされる。
【００１３】
従って、上述の突起が設けられたコンタクト部材が、ケーブルに対して期待どおりの作用を及ぼすときには、ケーブルにおける導電芯線がコンタクト部材に適正に接続された状態が安定に維持されることになる。
【００１４】
【特許文献１】実開昭５８−５２８２号公開明細書及び図面（第２〜４頁、第２〜５図）
【発明の開示】
【発明が解決しようとする課題】
【００１５】
前述のようなコネクタ装置，ケーブル及び抑え部材を用い、コネクタ装置に設けられたコンタクト部材上に配したケーブルを抑え部材によりコンタクト部材側へと押圧して、コンタクト部材にケーブルにおける導電芯線が接続される状態がとられることを期待する、従来提案されているケーブル接続方法にあっては、コネクタ装置に設けられたコンタクト部材に対するケーブルにおける導電芯線の接続が確実性に欠けるものとなるという問題がある。
【００１６】
例えば、前述の図９及び図１０に示される例あるいはそれと同様な例の場合、ケーブルが抑え部材によりコンタクト部材側へと押圧されるとき、コンタクト部材を形成する一対の平行突出片部の各々の尖端部分が、ケーブルにおける導電芯線を被覆する絶縁材を適正に突き破れず、そのため導電芯線に接触することができないものとなる事態、あるいは、コンタクト部材を形成する一対の平行突出片部の各々の尖端部分が、ケーブルにおける導電芯線を被覆する絶縁材を突き破るだけでなく、導電芯線を切断してしまうものとなる事態が生じる虞がある。そして、このような事態が生じると、いずれの場合にも、コンタクト部材にケーブルにおける導電芯線が適正に接続された状態は得られない。それゆえ、コネクタ装置に設けられたコンタクト部材に対するケーブルにおける導電芯線の接続が確実性に欠けるものとなってしまうのである。
【００１７】
また、前述のような、１本の導電芯線が絶縁材により被覆されて成るケーブルを、スリット部により分けられた一対の分岐部が形成され、その分岐部に突起が設けられて成るコンタクト部材におけるスリット部に、その開口端部分から押し込むことによって、ケーブルの導電芯線がコンタクト部材に電気的に接続されるとともに、一旦スリット部に押し込まれたケーブルが、突起により押さえ込まれて、スリット部の開口端部分から抜け出ることが防止される状態におかれることを期待するものにあっても、コンタクト部材に対するケーブルにおける導電芯線の接続が確実性に欠けるものとなるという問題がある。
【００１８】
即ち、ケーブルがコンタクト部材におけるスリット部にその開口端部分から押し込まれるとき、スリット部により分けられた一対の分岐部の夫々における相互対向する内側部分が、ケーブルにおける導電芯線を被覆する絶縁材に十分に食い込まず、導電芯線に接触することができない事態、あるいは、ケーブルにおける導電芯線を被覆する絶縁材に過剰に食い込んで、導電芯線を切断してしまう事態がまねかれる虞があり、それゆえ、コンタクト部材に対するケーブルにおける導電芯線の接続が確実性に欠けるものとなってしまうのである。例えば、縒り線で成る導電芯線が絶縁材によって被覆されて構成されるケーブルの場合、細いものでは、縒り線が径を０．１２７ｍｍとする細線の７本が縒り合わされて外径を０．３８ｍｍとするものとされ、それが厚さ０．４１ｍｍの絶縁材によって被覆されて、全体の外径を１．２ｍｍとするものがあり、斯かるケーブルにあっては、コンタクト部材におけるスリット部にその開口端部分から押し込まれるとき、縒り線で成る導電芯線が切断され易いことになってしまう。
【００１９】
ケーブルをその導電芯線が、例えば、コネクタ装置等に設けられたコンタクト部材に電気的に接続された状態とするに際しての、上述の不都合については、コンタクト部材にケーブルにおける導電芯線を接続するにあたり、その作業を細分化して工数を多大なものとすることにより、極力回避するようになすことも可能と考えられる。しかしながら、コンタクト部材にケーブルにおける導電芯線を接続するにあたっては、多大な工数はそれ自体で不都合をまねくことになり、比較的少なる工数で達成されることが望まれる。
【００２０】
斯かる点に鑑み、本願の特許請求の範囲に記載された発明は、導電芯線が絶縁材によリ被覆されて成るケーブルを、その導電芯線が、例えば、コネクタ装置等に設けられたコンタクト部材に電気的に接続された状態となすにあたり、比較的少なる工数をもって、コンタクト部材がケーブルにおける導電芯線に適正かつ確実に接触し、それによりケーブルにおける導電芯線とコンタクト部材との適正な電気的接続状態が得られるようにすることができるケーブル接続方法を提供する。
【課題を解決するための手段】
【００２１】
本願の特許請求の範囲における請求項１から請求項４までのいずれかに記載された発明（以下、本発明という。）に係るケーブル接続方法は、先ず、導電芯線が絶縁材により被覆されて成るケーブルの絶縁材を部分的に剥いで導電芯線を露出させ、先端部分が一対の分岐部を形成し、その一対の分岐部の夫々が、相互対向する内側部分とは反対側の外側部分に特定の方向に対して傾斜する傾斜部を有するものとされたコンタクト部材に、上述のケーブルの露出された導電芯線を、一対の分岐部によって挟まれる状態として配する。次に、コンタクト部材の一対の分岐部の夫々における傾斜部に、上述の特定の方向の押圧力を作用させることにより、ケーブルの露出された導電芯線を挟んだ一対の分岐部の夫々に、外側部分から内側部分に向かう方向に変位する変形を生じさせ、それにより、ケーブルの露出された導電芯線をコンタクト部材の一対の分岐部により挟持された状態としてコンタクト部材に接続するものとされる。
【００２２】
そして、コンタクト部材の一対の分岐部の夫々における傾斜部に作用させる特定の方向の押圧力については、それを、コンタクト部材の一対の分岐部の夫々における傾斜部に係合して上述の特定の方向に移動する押圧手段を用いて生じさせる。
【００２３】
上述のような本発明に係るケーブル接続方法にあっては、絶縁材を剥がして露出させたケーブルの導電芯線をコンタクト部材の一対の分岐部に挟まれたものとしたもとで、コンタクト部材の一対の分岐部に対して、それらの各々の外側部分における特定の方向に対して傾斜する傾斜部に、例えば、それに係合して特定の方向に移動する押圧手段を用いて、当該特定の方向の押圧力を作用させる状態をとり、それにより、ケーブルの導電芯線を挟んだコンタクト部材の一対の分岐部を、各々がその外側部分から内側部分に向かう方向に変位する変形を生じて、ケーブルの導電芯線を挟持するものとなす。その結果、ケーブルの導電芯線がコンタクト部材に電気的に接続された状態とする。
【発明の効果】
【００２４】
このようなもとで、ケーブルの絶縁材を部分的に剥いで導電芯線を露出させること、露出したケーブルの導電芯線をコンタクト部材の一対の分岐部に挟まれたものとすること、コンタクト部材の一対の分岐部の各々の外側部分における傾斜部に特定の方向の押圧力を作用させることは、いずれも、簡単で比較的少なる工数をもって行えることである。そして、コンタクト部材の一対の分岐部がケーブルの導電芯線を挟持することにより、ケーブルの導電芯線がコンタクト部材に電気的に接続される状態は、コンタクト部材が、ケーブルにおける導電芯線に、それを被覆する絶縁材等による支障を及ぼされず、さらには、ケーブルにおける導電芯線を切断してしまう虞なく、適正かつ確実に接触することにより得られる。
【００２５】
従って、本発明に係るケーブル接続方法によれば、導電芯線が絶縁材によリ被覆されて成るケーブルを、その導電芯線がコネクタ装置等に設けられたコンタクト部材に電気的に接続された状態となすにあたり、比較的少なる工数をもって、コンタクト部材がケーブルにおける導電芯線に適正かつ確実に接触し、それによりケーブルにおける導電芯線とコンタクト部材との適正な電気的接続状態が得られるようにすることができる。
【発明を実施するための最良の形態】
【００２６】
本発明を実施するための最良の形態は、以下に述べられる本発明についての実施例１及び実施例２をもって説明される。
【実施例１】
【００２７】
本発明に係るケーブル接続方法の一例（実施例１）は、図１から図７が参照されて説明される。
【００２８】
本発明に係るケーブル接続方法の一例の実施にあたっては、先ず、図１に示されるように、導電芯線２１が絶縁材２２により被覆されて成るケーブル２３の絶縁材２２を部分的に剥いで、導電芯線２１を絶縁材２２からその外部に露出させる。次に、図２及び図３に示されるように、ケーブル２３における露出された導電芯線２１を、導電材料をもって構成され、先端部分が一対の分岐部２５Ａ及び２５Ｂを形成するものとされたコンタクト部材２５に、一対の分岐部２５Ａ及び２５Ｂによって挟まれる状態をとるものとして配する。
【００２９】
コンタクト部材２５は、例えば、詳細図示が省略されたコネクタ装置のハウジング２６に設けられており、一対の分岐部２５Ａ及び２５Ｂは、各々における相互対向する内側部分とは反対側の外側部分に、夫々傾斜部２７Ａ及び２７Ｂを有したものとされている。傾斜部２７Ａ及び２７Ｂの各々は、図２及び図３において矢印ａ及び矢印ｂによって示される、図２及び図３における下方に向かう方向（以下、ａ方向という。）及び図２及び図３における上方に向かう方向（以下、ｂ方向という。）に対して傾斜している。
【００３０】
図２及び図３に示される例の場合、コネクタ装置のハウジング２６には、４個のコンタクト部材２５が配列配置されている。そして、図３に示されるように、これら４個のコンタクト部材２５に、４本のケーブル２３の各々における露出された導電芯線２１が、夫々、一対の分岐部２５Ａ及び２５Ｂによって挟まれる状態をとるものとして配される。
【００３１】
４本のケーブル２３の各々における露出された導電芯線２１が夫々配された４個のコンタクト部材２５の上方（図２及び図３における上方）には、少なくともａ方向及びｂ方向の移動（下降上昇動）が可能とされた押圧装置２８が備えられている。この押圧装置２８には、図３及び図４に示されるように、４個のコンタクト部材２５の各々における一対の分岐部２５Ａ及び２５Ｂが夫々有する傾斜部２７Ａ及び２７Ｂに夫々当接するものとされた、ａ方向に対して傾斜した傾斜面部２９Ａ及び２９Ｂが形成されている。
【００３２】
次に、コネクタ装置のハウジング２６を位置固定したもとで、４本のケーブル２３の各々における露出された導電芯線２１が夫々配された４個のコンタクト部材２５の上方（図２及び図３における上方）に備えられた押圧手段である押圧装置２８を、ａ方向に沿って下降させ、図５に示されるように、押圧装置２８に形成された傾斜面部２９Ａ及び２９Ｂを、４個のコンタクト部材２５の各々における一対の分岐部２５Ａ及び２５Ｂが夫々有する傾斜部２７Ａ及び２７Ｂに夫々当接させる。続いて、傾斜面部２９Ａ及び２９Ｂが４個のコンタクト部材２５の各々における一対の分岐部２５Ａ及び２５Ｂが夫々有する傾斜部２７Ａ及び２７Ｂに夫々当接するものとされた押圧装置２８を、さらにａ方向に沿って下降させ、それにより、４個のコンタクト部材２５の各々における一対の分岐部２５Ａ及び２５Ｂが夫々有する傾斜部２７Ａ及び２７Ｂに、ａ方向の押圧力を作用させる。
【００３３】
その際、押圧装置２８に形成された傾斜面部２９Ａ及び２９Ｂによりａ方向の押圧力が夫々加えられる傾斜部２７Ａ及び２７Ｂを有した、４個のコンタクト部材２５の各々における一対の分岐部２５Ａ及び２５Ｂは、図６に示されるように、それらの各々が、その外側部分から内側部分に向かう方向に変位する変形を生じるものとされる。それにより、４個のコンタクト部材２５の各々における一対の分岐部２５Ａ及び２５Ｂが、４本のケーブル２３の各々における露出された導電芯線２１を堅固に挟持することになり、４本のケーブル２３の各々における露出された導電芯線２１が、４個のコンタクト部材２５のうちの対応するものに電気的に接続される。
【００３４】
斯かる際におけるコンタクト部材２５における一対の分岐部２５Ａ及び２５Ｂがケーブル２３における露出された導電芯線２１を挟持する状態は、ケーブル２３における導電芯線２１を被覆する絶縁材２２による支障を及ぼされることなく、また、ケーブル２３における露出された導電芯線２１を切断してしまう虞なくとられる。従って、コンタクト部材２５における一対の分岐部２５Ａ及び２５Ｂがケーブル２３における導電芯線２１を挟持することにより、ケーブル２３における導電芯線２１がコンタクト部材２５に電気的に接続される状態が、コンタクト部材２５が、ケーブル２３における導電芯線２１に、それを被覆する絶縁材２２による支障を及ぼされず、さらには、ケーブル２３における導電芯線２１を切断してしまう虞なく、適正かつ確実に接触することにより得られることになる。
【００３５】
即ち、傾斜面部２９Ａ及び２９Ｂが４個のコンタクト部材２５の各々における一対の分岐部２５Ａ及び２５Ｂが夫々有する傾斜部２７Ａ及び２７Ｂに夫々当接するものとされた押圧装置２８を、ａ方向に沿って下降させて、４個のコンタクト部材２５の各々における一対の分岐部２５Ａ及び２５Ｂが夫々有する傾斜部２７Ａ及び２７Ｂに、ａ方向の押圧力を作用させ、それにより、４個のコンタクト部材２５の各々における一対の分岐部２５Ａ及び２５Ｂを、各々がその外側部分から内側部分に向かう方向に変位する変形を生じて、４本のケーブル２３のうちの対応するものの露出された導電芯線２１を挟持するものとなすことにより、４本のケーブル２３の各々における露出された導電芯線２１についての４個のコンタクト部材２５のうちの対応するものに対する電気的接続を、適正かつ確実に行うことができるのである。
【００３６】
その後、傾斜面部２９Ａ及び２９Ｂが４個のコンタクト部材２５の各々における一対の分岐部２５Ａ及び２５Ｂが夫々有する傾斜部２７Ａ及び２７Ｂに夫々当接するものとされた押圧装置２８を、ｂ方向に沿って上昇させて、図２及び図３に示されるような、４個のコンタクト部材２５の上方（図２及び図３における上方）となる位置に戻し、本発明に係るケーブル接続方法の一例の実施を終了する。それにより、図７に示されるように、コネクタ装置のハウジング２６に設けられた４個のコンタクト部材２５の夫々に、ケーブル２３における露出された導電芯線２１が電気的に接続された状態が得られる。
【００３７】
なお、押圧装置２８が、例えば、４組の傾斜面部２９Ａ及び２９Ｂの外側となる両端下面部に、下降するときコネクタ装置のハウジング２６における４個のコンタクト部材２５の外側となる両端上面部に当接するストッパが設けられたものとされてもよい。その際には、押圧装置２８が下降し過ぎて、コンタクト部材２５における一対の分岐部２５Ａ及び２５Ｂによりケーブル２３における導電芯線２１が切断されてしまう事態をより確実に回避できることになる。
【００３８】
上述の例においては、傾斜面部２９Ａ及び２９Ｂが形成された押圧装置２８を用いて、４個のコンタクト部材２５の各々における一対の分岐部２５Ａ及び２５Ｂが夫々有する傾斜部２７Ａ及び２７Ｂに作用させるａ方向の押圧力を生じさせているが、押圧装置２８に代えた他の押圧手段、例えば、図９及び図１０に示される抑え部材１３に図４に示される傾斜面部２９Ａ及び２９Ｂと同様な傾斜面部が設けられて成る押圧手段、あるいは、コンタクト部材２５が設けられたハウジング２６に対向する他のコネクタ装置に図４に示される傾斜面部２９Ａ及び２９Ｂと同様な傾斜面部が設けられて成る押圧手段等により、４個のコンタクト部材２５の各々における一対の分岐部２５Ａ及び２５Ｂが夫々有する傾斜部２７Ａ及び２７Ｂにａ方向の押圧力を作用させることができることは勿論である。
【００３９】
また、上述の例においては、４本のケーブル２３における露出された導電芯線２１を、コネクタ装置のハウジング２６に設けられた４個のコンタクト部材２５に夫々電気的に接続しているが、本発明に係るケーブル接続方法は、ケーブルの数及びコンタクト部材の数が、斯かる例に限られるものではなく、任意の数のケーブルにおける露出された導電芯線についての任意の数のコンタクト部材への電気的接続に適用できるものである。
【実施例２】
【００４０】
図８は、本発明に係るケーブル接続方法の他の例（実施例２）の実施に用いられるコンタクト部材３５を示す。コンタクト部材３５も、図２，３，５及び６に示されるコンタクト部材２５の場合と同様に、先端部分が一対の分岐部３５Ａ及び３５Ｂを形成するものとされている。
【００４１】
コンタクト部材３５は、例えば、詳細図示が省略されたコネクタ装置のハウジング３６に設けられており、一対の分岐部３５Ａ及び３５Ｂは、各々における相互対向する内側部分に、夫々鋸歯状部４０Ａ及び４０Ｂを有し、また、これらの内側部分とは反対側の外側部分に、夫々傾斜部３７Ａ及び３７Ｂを有したものとされている。傾斜部３７Ａ及び３７Ｂの各々は、ａ方向及びｂ方向に対して傾斜している。そして、図８に示される例の場合、コネクタ装置のハウジング３６には、４個のコンタクト部材３５が配列配置されている。
【００４２】
このようなコンタクト部材３５が用いられる本発明に係るケーブル接続方法の他の例（実施例２）は、前述の本発明に係るケーブル接続方法の一例（実施例１）が、コネクタ装置のハウジング２６に設けられたコンタクト部材２５に代えて、コネクタ装置のハウジング３６に設けられたコンタクト部材３５が用いられようにされて、実施される場合に相当するものとされる。即ち、コネクタ装置のハウジング３６に設けられたコンタクト部材３５が用いられるもとで、前述の本発明に係るケーブル接続方法の一例（実施例１）の場合と同様な手順をもって実施され、コンタクト部材３５が、前述のコンタクト部材２５の変形と同様な変形を生じるものとされる。
【００４３】
その結果、本発明に係るケーブル接続方法の他の例（実施例２）にあっては、その実施により、コネクタ装置のハウジング３６に設けられた４個のコンタクト部材３５の夫々に、ケーブルにおける露出された導電芯線が電気的に接続された状態が得られることになるが、その際には、コンタクト部材３５の一対の分岐部３５Ａ及び３５Ｂが、各々における相互対向する内側部分に、夫々鋸歯状部４０Ａ及び４０Ｂを有したものとされていることにより、コンタクト部材３５の一対の分岐部３５Ａ及び３５Ｂによるケーブルにおける露出された導電芯線の挟持が、より一層確実かつ堅固に行われることになる。その他については、前述の本発明に係るケーブル接続方法の一例（実施例１）の場合と同様である。
【産業上の利用可能性】
【００４４】
以上のような本発明に係るケーブル接続方法は、比較的少なる工数をもって、導電芯線が絶縁材によリ被覆されて成るケーブルにおける導電芯線とコネクタ装置等に設けられたコンタクト部材との、適正かつ確実な電気的接続状態を得ることができるものとして、各種のコネクタ装置や電子機器の製造等に広く適用され得るものである。
【図面の簡単な説明】
【００４５】
【図１】本発明に係るケーブル接続方法の一例の説明に供される工程図である。
【図２】本発明に係るケーブル接続方法の一例の説明に供される工程図である。
【図３】本発明に係るケーブル接続方法の一例の説明に供される工程図である。
【図４】本発明に係るケーブル接続方法の一例の実施に用いられる押圧装置の説明に供される斜視図である。
【図５】本発明に係るケーブル接続方法の一例の説明に供される工程図である。
【図６】本発明に係るケーブル接続方法の一例の説明に供される工程図である。
【図７】本発明に係るケーブル接続方法の一例の説明に供される工程図である。
【図８】本発明に係るケーブル接続方法の他の例の実施に用いられるコンタクト部材の説明に供される側面図である。
【図９】従来のケーブル接続方法の一例の説明に供される工程図である。
【図１０】従来のケーブル接続方法の一例の説明に供される工程図である。
【符号の説明】
【００４６】
２１・・・導電芯線，  ２２・・・絶縁材，  ２３・・・ケーブル，  ２５，３５・・・コンタクト部材，  ２５Ａ，２５Ｂ，３５Ａ，３５Ｂ・・・分岐部、  ２６，３６・・・コネクタ装置のハウジング，  ２７Ａ，２７Ｂ，３７Ａ，３７Ｂ・・・傾斜部，  ２８・・・押圧装置，  ２９Ａ，２９Ｂ・・・傾斜面部，  ４０Ａ，４０Ｂ・・・鋸歯状部
【図１】
2007048544.tif 000003
【図２】
2007048544.tif 000004
【図３】
2007048544.tif 000005
【図４】
2007048544.tif 000006
【図５】
2007048544.tif 000007
【図６】
2007048544.tif 000008
【図７】
2007048544.tif 000009
【図８】
2007048544.tif 000010
【図９】
2007048544.tif 000011
【図１０】
2007048544.tif 000012